【手続補正書】
【提出日】平成20年2月14日(2008.2.14)
【手続補正１】
【補正対象書類名】明細書
【補正対象項目名】発明の名称
【補正方法】変更
【補正の内容】
【発明の名称】電子装置及び表示装置
【手続補正２】
【補正対象書類名】明細書
【補正対象項目名】特許請求の範囲
【補正方法】変更
【補正の内容】
【特許請求の範囲】
【請求項１】
第１の配線と、第２の配線と、第３の配線と、第４の配線と、第１のトランジスタと、第２のトランジスタと、第３のトランジスタと、第１の電極及び第２の電極とを備えた保持容量と、画素電極と、を有する電子装置であって、
前記第１のトランジスタのソースまたはドレインの一方は、前記第１の配線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記第２の配線と電気的に接続され、
前記第２のトランジスタのソースまたはドレインの一方は、前記第３の配線と電気的に接続され、
前記第２のトランジスタのソースまたはドレインの他方は、前記画素電極と電気的に接続され、
前記保持容量の第２の電極は、前記前記第３の配線と電気的に接続され、
前記第３のトランジスタのソースまたはドレインの他方は、前記第２の配線に接続され、
前記第３のトランジスタのゲートは、前記第４の配線と電気的に接続されていることを特徴とする電子装置。
【請求項２】
第１の配線と、第２の配線と、第３の配線と、第４の配線と、第５の配線と、第１のトランジスタと、第２のトランジスタと、第３のトランジスタと、第１の電極及び第２の電極とを備えた保持容量と、画素電極と、を有する電子装置であって、
前記第１のトランジスタのソースまたはドレインの一方は、前記第１の配線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記第２の配線と電気的に接続され、
前記第２のトランジスタのソースまたはドレインの一方は、前記第３の配線と電気的に接続され、
前記第２のトランジスタのソースまたはドレインの他方は、前記画素電極と電気的に接続され、
前記保持容量の第２の電極は、前記前記第３の配線と電気的に接続され、
前記第３のトランジスタのソースまたはドレインの他方は、前記第５の配線に接続され、
前記第３のトランジスタのゲートは、前記第４の配線と電気的に接続されていることを特徴とする電子装置。
【請求項３】
ソース信号線と、ゲート信号線と、電流供給線と、リセット信号線と、第１のトランジスタと、第２のトランジスタと、第３のトランジスタと、第１の電極及び第２の電極とを備えた保持容量と、画素電極と、を有する電子装置であって、
前記第１のトランジスタのソースまたはドレインの一方は、前記ソース信号線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記ゲート信号線と電気的に接続され、
前記第２のトランジスタのソースまたはドレインの一方は、前記電流供給線と電気的に接続され、
前記第２のトランジスタのソースまたはドレインの他方は、前記画素電極と電気的に接続され、
前記保持容量の第２の電極は、前記前記電流供給線と電気的に接続され、
前記第３のトランジスタのソースまたはドレインの他方は、前記ゲート信号線に接続され、
前記第３のトランジスタのゲートは、前記リセット信号線と電気的に接続されていることを特徴とする電子装置。
【請求項４】
ソース信号線と、第１のゲート信号線と、電流供給線と、リセット信号線と、第２のゲート信号線と、第１のトランジスタと、第２のトランジスタと、第３のトランジスタと、第１の電極及び第２の電極とを備えた保持容量と、画素電極と、を有する電子装置であって、
前記第１のトランジスタのソースまたはドレインの一方は、前記ソース信号線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記ゲート信号線と電気的に接続され、
前記第２のトランジスタのソースまたはドレインの一方は、前記電流供給線と電気的に接続され、
前記第２のトランジスタのソースまたはドレインの他方は、前記画素電極と電気的に接続され、
前記保持容量の第２の電極は、前記前記電流供給線と電気的に接続され、
前記第３のトランジスタのソースまたはドレインの他方は、前記第２のゲート信号線に接続され、
前記第３のトランジスタのゲートは、前記リセット信号線と電気的に接続されていることを特徴とする電子装置。
【請求項５】
請求項１乃至請求項４のいずれか一において、前記第１のトランジスタと前記第３のトランジスタの極性は同じであることを特徴とする電子装置。
【請求項６】
請求項１乃至請求項４のいずれか一において、前記第１のトランジスタ、前記第２のトランジスタ及び前記第３のトランジスタの極性は同じであることを特徴とする電子装置。
【請求項７】
第１の配線と、第２の配線と、第３の配線と、第４の配線と、第１のトランジスタと、第２のトランジスタと、第３のトランジスタと、第１の電極及び第２の電極とを備えた保持容量と、ＥＬ素子と、を有する表示装置であって、
前記第１のトランジスタのソースまたはドレインの一方は、前記第１の配線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記第２の配線と電気的に接続され、
前記第２のトランジスタのソースまたはドレインの一方は、前記第３の配線と電気的に接続され、
前記第２のトランジスタのソースまたはドレインの他方は、前記ＥＬ素子と電気的に接続され、
前記保持容量の第２の電極は、前記前記第３の配線と電気的に接続され、
前記第３のトランジスタのソースまたはドレインの他方は、前記第２の配線に接続され、
前記第３のトランジスタのゲートは、前記第４の配線と電気的に接続されていることを特徴とする表示装置。
【請求項８】
第１の配線と、第２の配線と、第３の配線と、第４の配線と、第５の配線と、第１のトランジスタと、第２のトランジスタと、第３のトランジスタと、第１の電極及び第２の電極とを備えた保持容量と、ＥＬ素子と、を有する表示装置であって、
前記第１のトランジスタのソースまたはドレインの一方は、前記第１の配線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記第２の配線と電気的に接続され、
前記第２のトランジスタのソースまたはドレインの一方は、前記第３の配線と電気的に接続され、
前記第２のトランジスタのソースまたはドレインの他方は、前記ＥＬ素子と電気的に接続され、
前記保持容量の第２の電極は、前記前記第３の配線と電気的に接続され、
前記第３のトランジスタのソースまたはドレインの他方は、前記第５の配線に接続され、
前記第３のトランジスタのゲートは、前記第４の配線と電気的に接続されていることを特徴とする表示装置。
【請求項９】
ソース信号線と、ゲート信号線と、電流供給線と、リセット信号線と、第１のトランジスタと、第２のトランジスタと、第３のトランジスタと、第１の電極及び第２の電極とを備えた保持容量と、ＥＬ素子と、を有する表示装置であって、
前記第１のトランジスタのソースまたはドレインの一方は、前記ソース信号線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記ゲート信号線と電気的に接続され、
前記第２のトランジスタのソースまたはドレインの一方は、前記電流供給線と電気的に接続され、
前記第２のトランジスタのソースまたはドレインの他方は、前記ＥＬ素子と電気的に接続され、
前記保持容量の第２の電極は、前記前記電流供給線と電気的に接続され、
前記第３のトランジスタのソースまたはドレインの他方は、前記ゲート信号線に接続され、
前記第３のトランジスタのゲートは、前記リセット信号線と電気的に接続されていることを特徴とする表示装置。
【請求項１０】
ソース信号線と、第１のゲート信号線と、電流供給線と、リセット信号線と、第２のゲート信号線と、第１のトランジスタと、第２のトランジスタと、第３のトランジスタと、第１の電極及び第２の電極とを備えた保持容量と、ＥＬ素子と、を有する表示装置であって、
前記第１のトランジスタのソースまたはドレインの一方は、前記ソース信号線と電気的に接続され、
前記第１のトランジスタのソースまたはドレインの他方は、前記第２のトランジスタのゲート、前記保持容量の第１の電極、及び前記第３のトランジスタのソースまたはドレインの一方と電気的に接続され、
前記第１のトランジスタのゲートは、前記ゲート信号線と電気的に接続され、
前記第２のトランジスタのソースまたはドレインの一方は、前記電流供給線と電気的に接続され、
前記第２のトランジスタのソースまたはドレインの他方は、前記ＥＬ素子と電気的に接続され、
前記保持容量の第２の電極は、前記前記電流供給線と電気的に接続され、
前記第３のトランジスタのソースまたはドレインの他方は、前記第２のゲート信号線に接続され、
前記第３のトランジスタのゲートは、前記リセット信号線と電気的に接続されていることを特徴とする表示装置。
【請求項１１】
請求項７乃至請求項１０のいずれか一において、前記第１のトランジスタと前記第３のトランジスタの極性は同じであることを特徴とする表示装置。
【請求項１２】
請求項７乃至請求項１０のいずれか一において、前記第１のトランジスタ、前記第２のトランジスタ及び前記第３のトランジスタの極性は同じであることを特徴とする表示装置。
【請求項１３】
請求項７乃至請求項１２のいずれか一において、前記ＥＬ素子で発生した光は基板と反対方向に放出されることを特徴とする表示装置。
【請求項１４】
請求項７乃至請求項１３のいずれか一において、前記ＥＬ素子は、三重項励起する材料を有することを特徴とする表示装置。
【請求項１５】
請求項７乃至請求項１３のいずれか一において、前記ＥＬ素子は、燐光発光する材料であることを特徴とする表示装置。
【手続補正３】
【補正対象書類名】明細書
【補正対象項目名】００３８
【補正方法】変更
【補正の内容】
【００３８】
本発明における電子装置は、
ソース信号線側駆動回路と、ゲート信号線側駆動回路と、リセット信号線側駆動回路と、画素部とを有し、
前記画素部は、複数のソース信号線と、複数のゲート信号線と、複数の電流供給線と、複数のリセット信号線と、複数の画素とを有し、
前記複数の画素はそれぞれ、スイッチング用トランジスタと、エレクトロルミネッセンス駆動用トランジスタと、リセット用トランジスタと、保持容量と、エレクトロルミネッセンス素子とを有し、
前記スイッチング用トランジスタのゲート電極は、前記複数のゲート信号線のうちいずれか１本と電気的に接続され、
前記スイッチング用トランジスタのソース領域とドレイン領域とは、一方はソース信号線と電気的に接続され、残る一方は前記エレクトロルミネッセンス駆動用トランジスタのゲート電極と電気的に接続され、
前記リセット用トランジスタのゲート電極は、リセット信号線と電気的に接続され、
前記リセット用トランジスタのソース領域とドレイン領域とは、一方は前記複数のゲート信号線のうちいずれか１本と電気的に接続され、残る一方は前記エレクトロルミネッセンス駆動用トランジスタのゲート電極と電気的に接続され、
前記保持容量は、一方の電極は電流供給線と電気的に接続され、残る一方の電極は、前記エレクトロルミネッセンス駆動用トランジスタのゲート電極と電気的に接続され、
前記エレクトロルミネッセンス駆動用トランジスタのソース領域とドレイン領域とは、一方は電流供給線と電気的に接続され、残る一方はエレクトロルミネッセンス素子の一方の電極と電気的に接続されていることを特徴としている。
【手続補正４】
【補正対象書類名】明細書
【補正対象項目名】００３９
【補正方法】変更
【補正の内容】
【００３９】
更に、本発明は上記に記載の電子装置において、
前記エレクトロルミネッセンス駆動用トランジスタのソース領域もしくはドレイン領域と、エレクトロルミネッセンス素子の陽極とが電気的に接続されているときは、前記スイッチング用トランジスタの極性にはＰチャネル型を用い、
前記エレクトロルミネッセンス駆動用トランジスタのソース領域もしくはドレイン領域と、エレクトロルミネッセンス素子の陰極とが電気的に接続されているときは、前記スイッチング用トランジスタの極性にはＮチャネル型を用いることを特徴としている。
【手続補正５】
【補正対象書類名】明細書
【補正対象項目名】００４０
【補正方法】変更
【補正の内容】
【００４０】
本発明の電子装置の駆動方法は、
１フレーム期間はｎ個のサブフレーム期間ＳＦ１、ＳＦ２、・・・、ＳＦｎを有し、
前記ｎ個のサブフレーム期間はそれぞれアドレス（書き込み）期間Ｔａ１、Ｔａ２、・・・、Ｔａｎと、サステイン（点灯）期間Ｔｓ１、Ｔｓ２、・・・Ｔｓｎとを有し、
前記ｎ個のサブフレーム期間のうち少なくとも１個のサブフレーム期間において、前記アドレス（書き込み）期間と前記サステイン（点灯）期間が重複している期間を有し、
サブフレーム期間ＳＦｍ（１≦ｍ≦ｎ）でのアドレス（書き込み）期間Ｔａｍと、サブフレーム期間ＳＦｍ＋１でのアドレス（書き込み）期間Ｔａｍ＋１とが重複する場合に、前記サブフレーム期間ＳＦｍでのサステイン（点灯）期間ＳＦｍの終了後、前記アドレス（書き込み）期間Ｔａｍ＋１の開始までの期間に非表示期間を有することを特徴としている。
【手続補正６】
【補正対象書類名】明細書
【補正対象項目名】００４１
【補正方法】変更
【補正の内容】
【００４１】
本発明の電子装置の駆動方法の一は、
１フレーム期間はｎ個のサブフレーム期間ＳＦ１、ＳＦ２、・・・、ＳＦｎを有し、
前記ｎ個のサブフレーム期間はそれぞれアドレス（書き込み）期間Ｔａ１、Ｔａ２、・・・、Ｔａｎと、サステイン（点灯）期間Ｔｓ１、Ｔｓ２、・・・Ｔｓｎとを有し、
前記ｎ個のサブフレーム期間のうち少なくとも１個のサブフレーム期間において、前記アドレス（書き込み）期間と前記サステイン（点灯）期間が重複している期間を有し、
ｊ（０＜ｊ）フレーム目のサブフレーム期間ＳＦｎでのアドレス（書き込み）期間Ｔａｎと、ｊ＋１フレーム目のサブフレーム期間ＳＦ１でのアドレス（書き込み）期間Ｔａ１とが重複する場合に、ｊフレーム目のサブフレーム期間ＳＦｎでのサステイン（点灯）期間ＳＦｎの終了後、前記ｊ＋１フレーム目のサブフレーム期間ＳＦ１でのアドレス（書き込み）期間Ｔａ１の開始までの期間に非表示期間を有することを特徴としている。
【手続補正７】
【補正対象書類名】明細書
【補正対象項目名】００４２
【補正方法】変更
【補正の内容】
【００４２】
本発明の電子装置の駆動方法の一は、
１フレーム期間はｎ個のサブフレーム期間ＳＦ１、ＳＦ２、・・・、ＳＦｎを有し、
前記ｎ個のサブフレーム期間はそれぞれアドレス（書き込み）期間Ｔａ１、Ｔａ２、・・・、Ｔａｎと、サステイン（点灯）期間Ｔｓ１、Ｔｓ２、・・・Ｔｓｎとを有し、
あるサブフレーム期間ＳＦｋ（１≦ｋ≦ｎ）において、アドレス（書き込み）期間の長さをｔａｋ、サステイン（点灯）期間の長さをｔｓｋ、１ゲート信号線選択期間の長さをｔｇ（ｔａｋ、ｔｓｋ、ｔｇ＞０）として、ｔａｋ＞ｔｓｋ＋ｔｇが成立するとき、
ＳＦｋの有する非表示期間の長さをｔｒｋ（ｔｒｋ＞０）とすると、
常に、ｔｒｋ≧ｔａｋ−（ｔｓｋ＋ｔｇ）が成立することを特徴としている。
【手続補正８】
【補正対象書類名】明細書
【補正対象項目名】００４３
【補正方法】変更
【補正の内容】
【００４３】
更に、本発明は上記に記載の電子装置の駆動方法において、
前記非表示期間においては、リセット信号線駆動回路からの信号が入力され、リセット用トランジスタが導通することによって、前記エレクトロルミネッセンス駆動用トランジスタが非導通状態となり、
前記リセット用トランジスタが非導通状態に戻った後も、次にソース信号線からの信号の書き込みが行われるまでの間、前記エレクトロルミネッセンス駆動用トランジスタのゲート電圧が、前記保持容量によって保持されることを特徴としている。
【手続補正９】
【補正対象書類名】明細書
【補正対象項目名】００４４
【補正方法】変更
【補正の内容】
【００４４】
更に、本発明は上記に記載の電子装置の駆動方法において、
前記非表示期間中は、画像信号に関わらずエレクトロルミネッセンス素子が消灯することを特徴としている。
【手続補正１０】
【補正対象書類名】明細書
【補正対象項目名】００４５
【補正方法】変更
【補正の内容】
【００４５】
更に、本発明は上記に記載の電子装置の駆動方法において、
前記非表示期間における、前記エレクトロルミネッセンス駆動用トランジスタのゲート電圧は、
電流供給線の電位と、非選択状態にあるゲート信号線の電位との差によって決定されることを特徴としている。
【手続補正１１】
【補正対象書類名】明細書
【補正対象項目名】００４６
【補正方法】変更
【補正の内容】
【００４６】
更に、本発明は上記に記載の電子装置の駆動方法において、
前記エレクトロルミネッセンス駆動用トランジスタの極性がＮチャネル型である場合には、
前記非選択状態にあるゲート信号線には、前記電流供給線の電位に対し、前記エレクトロルミネッセンス駆動用トランジスタのしきい値電圧よりも低い電位が入力されることを特徴としている。
【手続補正１２】
【補正対象書類名】明細書
【補正対象項目名】００４７
【補正方法】変更
【補正の内容】
【００４７】
更に、本発明は上記に記載の電子装置の駆動方法において、
前記エレクトロルミネッセンス駆動用トランジスタの極性がＰチャネル型である場合には、
前記非選択状態にあるゲート信号線には、前記電流供給線の電位に対し、前記エレクトロルミネッセンス駆動用トランジスタのしきい値電圧よりも高い電位が入力されることを特徴としている。